(57)【要約】【課題】表示の輝度を高くし、しかもモアレ縞が無く、またコントラストの高い良好な品質の画像を表示することができる液晶表示装置を提供する。【解決手段】液晶表示素子１とその観察側とは反対側に配置された面光源１８との間に、面光源１８からの照射光を複数の細長プリズム２２により集光して液晶表示素子１に入射させるプリズムシート２１を配置し、前記液晶表示素子１の液晶層１１を挟んで対向する一対の基板２，３の対向する内面それぞれに複数の画素領域を形成する第１と第２の電極４，６を設け、観察側の基板２と観察側偏光板１２との間及び反対側の基板３と反対側偏光板１３との間にそれぞれ視野補償フィルム１４，１５を配置し、反対側偏光板１３とそれに隣接する視野補償フィルム１５との間に予め定めたヘイズ値を有する第１の拡散手段１６を設け、反対側偏光板１３の面光源１８に対向する面に第１の拡散手段１６よりも小さいヘイズ値を有する第２の拡散手段１７を設けた構成とした。【選択図】図１
2007155785.tif 000002
【特許請求の範囲】
【請求項１】
光の透過を制御する複数の画素をマトリックス状に配列した液晶表示素子と、
前記液晶表示素子の観察側とは反対側に配置され、前記液晶表示素子に向けて照明光を照射する面光源と、
互いに平行に形成された複数の細長プリズムを有し、前記面光源と前記液晶表示素子との間に配置され、前記面光源からの照射光を前記複数の細長プリズムにより集光して前記液晶表示素子に入射させるプリズムシートとからなり、
前記液晶表示素子は、
観察側とその反対側の一対の基板間に封入された液晶層と、
前記一対の基板の対向する内面それぞれに互いに対向させて設けられるか、或いは一方の基板の内面に互いに絶縁して設けられ、前記液晶層に電界を印加して液晶分子の配向状態を制御する複数の画素領域を形成する第１と第２の電極と、
前記一対の基板を挟んで配置された観察側偏光板及び反対側偏光板と、
前記観察側の基板と前記観察側偏光板との間及び前記反対側の基板と前記反対側偏光板との間にそれぞれ配置された視野補償フィルムと、
前記反対側偏光板とそれに隣接する前記視野補償フィルムとの間に設けられた予め定めたヘイズ値を有する第１の拡散手段と、
前記反対側偏光板の前記面光源に対向する面に設けられ、前記第１の拡散手段よりも小さいヘイズ値を有する第２の拡散手段と、
を備えていることを特徴とする液晶表示装置。
【請求項２】
第１の拡散手段のヘイズ値は６０±５に設定され、第２の拡散手段のヘイズ値は２４±５に設定されていることを特徴とする請求項１に記載の液晶表示装置。
【請求項３】
第２の拡散手段は、反対側偏光板の面光源に対向する面を粗面化した拡散面からなっていることを特徴請求項１または２に記載の液晶表示装置。
【請求項４】
第１の拡散手段は、光散乱粒子を混入した粘着剤層からなっており、反対側偏光板とそれに隣接する視野補償フィルムは、前記粘着剤層を介して貼付けられていることを特徴とする請求項３に記載の液晶表示装置。
【発明の詳細な説明】
【技術分野】
【０００１】
この発明は、液晶表示素子と面光源との間にプリズムシートを配置した液晶表示装置に関する。
【背景技術】
【０００２】
液晶表示素子の観察側とは反対側に、前記液晶表示素子に向けて照明光を照射する面光源を配置した液晶表示装置として、表示の輝度を高くするために、前記面光源と前記液晶表示素子との間に、互いに平行に形成された複数の細長プリズムを有し、前記面光源からの照射光を前記複数の細長プリズムにより集光して前記液晶表示素子に入射させるプリズムシートを配置したものがある（特許文献１参照）。
【特許文献１】特開２０００―１４７４２９号公報
【発明の開示】
【発明が解決しようとする課題】
【０００３】
しかし、面光源と液晶表示素子との間に前記プリズムシートを配置した液晶表示装置は、前記面光源から照射され、前記プリズムシートと液晶表示素子とを透過して観察側に出射する光に、前記プリズムシートのプリズムピッチと前記液晶表示素子の画素ピッチに対応した光の干渉によるモアレ縞が生じ、表示品質を低下させるという問題をもっている。
【０００４】
この発明は、表示の輝度を高くし、しかもモアレ縞が無く、またコントラストの高い良好な品質の画像を表示することができる液晶表示装置を提供することを目的としたものである。
【課題を解決するための手段】
【０００５】
この発明の液晶表示装置は、光の透過を制御する複数の画素をマトリックス状に配列した液晶表示素子と、前記液晶表示素子の観察側とは反対側に配置され、前記液晶表示素子に向けて照明光を照射する面光源と、互いに平行に形成された複数の細長プリズムを有し、前記面光源と前記液晶表示素子との間に配置され、前記面光源からの照射光を前記複数の細長プリズムにより集光して前記液晶表示素子に入射させるプリズムシートとからなり、前記液晶表示素子は、観察側とその反対側の一対の基板間に封入された液晶層と、前記一対の基板の対向する内面それぞれに互いに対向させて設けられるか、或いは一方の基板の内面に互いに絶縁して設けられ、前記液晶層に電界を印加して液晶分子の配向状態を制御する複数の画素領域を形成する第１と第２の電極と、前記一対の基板を挟んで配置された観察側偏光板及び反対側偏光板と、前記観察側の基板と前記観察側偏光板との間及び前記反対側の基板と前記反対側偏光板との間にそれぞれ配置された視野補償フィルムと、前記反対側偏光板とそれに隣接する前記視野補償フィルムとの間に設けられた予め定めたヘイズ値を有する第１の拡散手段と、前記反対側偏光板の前記面光源に対向する面に設けられ、前記第１の拡散手段よりも小さいヘイズ値を有する第２の拡散手段とを備えていることを特徴とする。
【０００６】
この液晶表示装置において、前記第１の拡散手段のヘイズ値は６０±５に設定し、前記第２の拡散手段のヘイズ値は２４±５に設定するのが好ましい。
【０００７】
また、前記第２の拡散手段は、前記反対側偏光板の前記面光源に対向する面を粗面化した拡散面が好ましい。
【０００８】
さらに、前記第１の拡散手段は、光散乱粒子を混入した粘着剤層により形成し、前記反対側偏光板とそれに隣接する前記視野補償フィルムとを、前記粘着剤層を介して貼付けるのが好ましい。
【発明の効果】
【０００９】
この発明の液晶表示装置は、前記面光源と前記液晶表示素子との間に前記プリズムシートを配置しているため、前記面光源からの照射光を前記プリズムシートの複数の細長プリズムにより集光して高輝度の照明光を前記液晶表示素子に入射させ、表示の輝度を高くすることができる。
【００１０】
そして、この液晶表示装置は、前記液晶表示素子を、観察側とその反対側の一対の基板間に封入された液晶層と、前記一対の基板の対向する内面それぞれに互いに対向させて設けられるか、或いは一方の基板の内面に互いに絶縁して設けられ、前記液晶層に電界を印加して液晶分子の配向状態を制御する複数の画素領域を形成する第１と第２の電極と、前記一対の基板を挟んで配置された観察側偏光板及び反対側偏光板と、前記観察側の基板と前記観察側偏光板との間及び前記反対側の基板と前記反対側偏光板との間にそれぞれ配置された視野補償フィルムと、前記反対側偏光板とそれに隣接する前記視野補償フィルムとの間に設けられた予め定めたヘイズ値を有する第１の拡散手段と、前記反対側偏光板の前記面光源に対向する面に設けられ、前記第１の拡散手段よりも小さいヘイズ値を有する第２の拡散手段とを備えた構成としているため、前記液晶表示素子からの出射光に、前記プリズムシートのプリズムピッチと前記液晶表示素子の画素ピッチに対応した光の干渉によるモアレ縞を生じることは無く、また、コントラストの高い良好な品質の画像を表示することができる。
【００１１】
この液晶表示装置において、前記第１の拡散手段のヘイズ値は６０±５に設定し、前記第２の拡散手段のヘイズ値は２４±５に設定するのが好ましく、これらの拡散手段のヘイズ値をこのように設定することにより、前記モアレ縞を略完全に無くし、しかもコントラストを充分に高くすることができる。
【００１２】
また、前記第２の拡散手段は、前記反対側偏光板の前記面光源に対向する面を粗面化した拡散面が好ましく、このようにすることにより、液晶表示装置の構造を簡単にし、その製造を容易にすることができる。
【００１３】
さらに、前記第１の拡散手段は、光散乱粒子を混入した粘着剤層により形成し、前記反対側偏光板とそれに隣接する前記視野補償フィルムとを、前記粘着剤層を介して貼付けるのが好ましく、このようにすることにより、液晶表示装置の製造をさらに容易にすることができる。
【発明を実施するための最良の形態】
【００１４】
図１及び図２はこの発明の一実施例を示しており、図１は液晶表示装置の側面図、図２は前記液晶表示装置の一部分の拡大断面図である。
【００１５】
この液晶表示装置は、図１に示すように、光の透過を制御する複数の画素をマトリックス状に配列した液晶表示素子１と、前記液晶表示素子１の観察側（図１及び図２において上側）とは反対側に配置され、前記液晶表示素子１に向けて照明光を照射する面光源１８と、前記面光源１８と前記液晶表示素子１との間に配置された集光用プリズムシート２１とからなっている。
【００１６】
前記面光源１８は、板状の透明部材からなり、その１つの端面に光を入射させる入射端面１９ａが形成され、２つの板面の一方に前記入射端面１９ａから入射した光の出射面１９ｂが形成され、他方の板面に前記入射端面１９ａから入射した光を前記出射面１９ｂに向けて反射する反射面１９ｃが形成された導光板１９と、この導光板１９の入射端面１９ａに対向させて配置され、前記入射端面１９ａに向けて光を出射するＬＥＤ（発光ダイオード）等の複数の発光素子２０とにより構成されている。
【００１７】
なお、この実施例では、前記導光板１９の反射面１９ｃを、前記入射端面１９ａから入射した光を導光板面と外気（空気）との界面で全反射する内面反射面としているが、この反射面１９ｃは、導光板面に反射膜を設けて形成してもよい。
【００１８】
また、前記プリズムシート２１は、透明フィルムの一方の面に複数の細長プリズム２２を密な間隔で互いに平行に形成したものであり、前記面光源１８と前記液晶表示素子１との間に、前記細長プリズム２２の形成面を前記面光源１８の導光板１９の出射面１９ｂに対向させ、且つ前記細長プリズム２２の長さ方向を前記導光板１９の入射端面１９ａの長さ方向と実質的に平行にして配置されている。
【００１９】
なお、図１では前記プリズムシート２１の細長プリズム２２を大きく誇張しているが、このプリズムシート２１の複数の細長プリズム２２は、前記液晶表示素子１の画素ピッチと同程度またはそれよりも小さいピッチで形成されている。
【００２０】
このプリズムシート２１は、前記面光源１８からの照射光（導光板１９の出射面１９ｂから出射した光）を、前記複数の細長プリズム２２により前記液晶表示素子１の法線に対する角度が小さくなる方向に集光し、高輝度の照明光を前記液晶表示素子に入射させる。
【００２１】
一方、前記液晶表示素子１は、図１及び図２に示すように、観察側とその反対側の一対の透明基板２，３間に封入された液晶層１１と、前記一対の基板２，３の対向する内面それぞれに互いに対向させて設けられ、前記液晶層１１に電界を印加して液晶分子の配向状態を制御する複数の画素領域を形成する第１と第２の透明電極４，６と、前記一対の基板１，２を挟んで配置された観察側偏光板１２及び反対側偏光板１３と、前記観察側の基板２と前記観察側偏光板１２との間及び前記反対側の基板３と前記反対側偏光板１３との間にそれぞれ配置された視野補償フィルム１４，１５と、前記反対側偏光板１３とそれに隣接する前記視野補償フィルム１５との間に設けられた予め定めたヘイズ値を有する第１の拡散手段１６と、前記反対側偏光板１３の前記面光源１８に対向する面に設けられ、前記第１の拡散手段１６よりも小さいヘイズ値を有する第２の拡散手段１７とを備えている。
【００２２】
この液晶表示素子１は、ＴＦＴ（薄膜トランジスタ）を能動素子としたアクティブマトリックス液晶表示素子であり、前記一対の基板２，３の内面それぞれに設けられた電極４，６のうち、一方の基板、例えば観察側とは反対側の基板３の内面に設けられた電極４は、行方向及び列方向にマトリックス状に配列させて形成された複数の画素電極、他方の基板、つまり観察側の基板２の内面に設けられた電極６は、前記複数の画素電極４の配列領域の全体に対向させて形成された一枚膜状の対向電極である。
【００２３】
そして、前記反対側の基板３の内面には、前記複数の画素電極４にそれぞれ接続された複数のＴＦＴ５と、各行のＴＦＴにゲート信号を供給する複数のゲート配線（図示せず）と、各列のＴＦＴにデータ信号を供給する複数のデータ配線（図示せず）が設けられている。
【００２４】
なお、図２では前記ＴＦＴ５を簡略化しているが、このＴＦＴ５は、反対側基板３の基板面に形成されたゲート電極と、このゲート電極を覆って前記基板面の略全体に形成された透明なゲート絶縁膜と、前記ゲート絶縁膜の上に前記ゲート電極と対向させて形成されたｉ型半導体膜と、前記ｉ型半導体膜の一側部と他側部の上に図示しないｎ型半導体膜を介して形成されたソース電極及びドレイン電極とからなっている。
【００２５】
また、前記ゲート配線は前記反対側基板３の基板面に設けられ、前記データ配線は前記ゲート絶縁膜の上に設けられており、前記ＴＦＴ５のゲート電極は前記ゲート配線と一体に形成され、ドレイン電極は前記データ配線に接続されている。
【００２６】
そして、前記複数の画素電極４は、前記ゲート絶縁膜の上に形成され、その画素電極３に対応するＴＦＴ５のソース電極に接続されている。
【００２７】
また、この液晶表示素子１は、前記複数の画素電極４と対向電極６とが互いに対向する領域からなる複数の画素領域にそれぞれ対応させて設けられた赤、緑、青の３色のカラーフィルタ７Ｒ，７Ｇ，７Ｂを備えており、このカラーフィルタ７Ｒ，７Ｇ，７Ｂは、観察側基板２の内面に設けられ、その上に前記対向電極６が形成されている。
【００２８】
さらに、前記一対の基板２，３の内面にはそれぞれ、前記対向電極６及び複数の画素電極４を覆って配向膜８，９が設けられている。
【００２９】
そして、前記一対の基板２，３は、前記複数の画素電極３の配列領域を囲む枠状のシール材１０（図１参照）を介して接合されており、これらの基板２，３間の前記シール材１０で囲まれた領域に液晶層１１が封入されている。
【００３０】
この液晶表示素子１は、前記液晶層１１の液晶分子を一対の基板２，３間においてツイスト配向させたＴＮまたはＳＴＮ型、前記液晶分子を前記基板２，３間において基板面に対して実質的に垂直に配向させた垂直配向型、前記液晶分子を前記基板２，３間においてツイストさせることなく基板面に対して実質的に平行に配向させた水平配向型、前記液晶分子をベンド配向させるベンド配向型のいずれかの液晶表示パネル、或いは強誘電性または反強誘電性液晶表示パネルであり、前記観察側と反対側の偏光板１２，１３は、それぞれの透過軸の向きを、ノーマリーホワイトまたはノーマリーブラックモードの表示を行なうように設定して配置されている。
【００３１】
また、前記観察側の基板２と前記観察側偏光板１２との間及び前記反対側の基板３と前記反対側偏光板１３との間にそれぞれ配置された視野補償フィルム１４，１５は、液晶表示素子１の表示の視野（表示を良好なコントラストで観察できる観察角範囲）を充分に広くするための光学フィルムであり、例えば、ディスコティック液晶フィルムまたは二軸位相差板からなっている。
【００３２】
さらに、前記反対側偏光板１３とそれに隣接する視野補償フィルム（以下、反対側視野補償フィルムという）１５との間に設けられた前記第１の拡散手段１６は、光散乱粒子を混入した粘着剤層からなっており、そのヘイズ値は、６０±５に設定されている。以下、この第１の拡散手段１６を拡散粘着剤層という。
【００３３】
また、前記反対側偏光板１３の前記面光源１８に対向する面に設けられた前記第２の拡散手段１７は、前記反対側偏光板１３面を粗面化した拡散面からなっており、そのヘイズ値は、２４±５に設定されている。
【００３４】
すなわち、前記反対側偏光板１３は、前記面光源１８に対向する面による正反射光を減少させるための粗面化処理を施したものであり、その粗面化処理された拡散面により前記第２の拡散手段１７が形成されている。以下、この第２の拡散手段１７を拡散面という。
【００３５】
そして、前記反対側偏光板１３は、前記拡散面１７とは反対面を、前記拡散粘着剤層１６を介して前記反対側視野補償フィルム１５に貼付けられており、さらに前記反対側視野補償フィルム１５は、図示しない両面粘着フィルムにより前記反対側基板３の外面に貼付けられている。
【００３６】
また、前記観察側偏光板１２とそれに隣接する視野補償フィルム（以下、観察側視野補償フィルムという）１４は、図示しない両面粘着フィルムにより貼付けられており、さらに前記観察側視野補償フィルム１４は、図示しない両面粘着フィルムにより前記観察側基板２の外面に貼付けられている。
【００３７】
この液晶表示装置は、前記面光源１８と前記液晶表示素子１との間に前記プリズムシート２１を配置しているため、前記面光源１８からの照射光を前記プリズムシート２１の複数の細長プリズム２２により集光して高輝度の照明光を前記液晶表示素子１に入射させ、表示の輝度を高くすることができる。
【００３８】
なお、この実施例では、前記プリズムシート２１の複数の細長プリズム２２を、前記面光源１８からの照射光を前記液晶表示素子１の法線に対する角度が小さくなる方向に集光するように形成しており、したがって、前記液晶表示素子１の法線付近の方向から見た輝度、つまり正面輝度を高くすることができる。
【００３９】
そして、この液晶表示装置は、前記液晶表示素子１を、観察側とその反対側の一対の基板２，３間に封入された液晶層１１と、前記一対の基板２，３の対向する内面それぞれに互いに対向させて設けられ、前記液晶層１１に電界を印加して液晶分子の配向状態を制御する複数の画素領域を形成する第１と第２の電極（複数の画素電極と一枚膜状の対向電極）４，６と、前記一対の基板２，３を挟んで配置された観察側偏光板１２及び反対側偏光板１３と、前記観察側の基板２と前記観察側偏光板１２との間及び前記反対側の基板３と前記反対側偏光板１３との間にそれぞれ配置された視野補償フィルム１４，１５と、前記反対側偏光板１３とそれに隣接する前記視野補償フィルム１５との間に設けられた予め定めたヘイズ値を有する第１の拡散手段（拡散粘着剤層）１６と、前記反対側偏光板１３の前記面光源１８に対向する面に設けられ、前記第１の拡散手段１６よりも小さいヘイズ値を有する第２の拡散手段（拡散面）１７とを備えた構成としているため、前記液晶表示素子１からの出射光に、前記プリズムシート２１のプリズムピッチと前記液晶表示素子１の画素ピッチに対応した光の干渉によるモアレ縞が観察されることが無くなり、また、コントラストの高い良好な品質の画像を表示することができる。
【００４０】
すなわち、この液晶表示装置は、前記面光源１８から照射され、前記プリズムシート２１の複数の細長プリズム２２により集光されて前記液晶表示素子１に入射した光を、前記液晶表示素子１の反対側偏光板１３の前記面光源１８に対向する面に設けられたヘイズ値の小さい第１の拡散手段１６より拡散し、その光を、前記反対側偏光板１３とそれに隣接する前記反対側視野補償フィルム１５との間に設けた予め定めたヘイズ値を有する第１の拡散手段１６により拡散することにより、前記プリズムシート２１と液晶表示素子１とを透過して観察側に出射する光に、前記プリズムシート２１のプリズムピッチと前記液晶表示素子１の画素ピッチに対応したモアレ縞が生じるのを防ぐようにしたものである。
【００４１】
そのため、前記第１の拡散手段１６は、前記モアレ縞を生じない程度に光を拡散させる高ヘイズ値の拡散手段よりもある程度小さいヘイズ値を有していればよく、したがって、前記高ヘイズ値の１つの拡散手段を備え、その拡散手段による光の拡散だけでモアレ縞の発生を防ぐ場合のように、光の拡散が大き過ぎ、液晶表示素子１の表示のコントラストが大きく低下することは無い。
【００４２】
しかも、この液晶表示装置では、前記第１の拡散手段１６を、前記反対側偏光板１３とそれに隣接する反対側視野補償フィルム１５との間に設けているため、前記反対側視野補償フィルム１５よりも液晶層１１側において光を拡散させる場合のように、前記反対側及び観察側の視野補償フィルム１５，１４による視野補償効果を低下させたり、液晶表示素子１の表示のコントラストをさらに低下させることは無い。
【００４３】
そして、この液晶表示装置は、前記面光源１８から照射され、前記プリズムシート２１の複数の細長プリズム２２により集光されて前記液晶表示素子１に入射した光を、前記ヘイズ値の小さい第２の拡散手段１７により拡散し、さらにその光を前記予め定めたヘイズ値を有する第１の拡散手段１６により拡散させるようにしているため、前記２つの拡散手段１７，１６による拡散作用が一層高くなり、前記液晶表示素子１からの出射光に、前記プリズムシート２１のプリズムピッチと前記液晶表示素子１の画素ピッチに対応したモアレ縞が生じるのを防ぐことができる。
【００４４】
しかも、この液晶表示装置は、前記第２の拡散手段１７を前記反対側偏光板１３の面光源１８に対向する面に設け、前記面光源１８からの照射光を、前記反対側偏光板１３により直線偏光される前に前記第２の拡散手段１７により拡散するようにしているため、前記第２の拡散手段１７による光の拡散は、前記液晶表示素子１の視野及びコントラストにほとんど影響しない。
【００４５】
したがって、この液晶表示装置は、表示の輝度を高くし、しかもモアレ縞が無く、またコントラストの高い良好な品質の画像を表示することができる。
【００４６】
この液晶表示装置においては、上述したように、前記第１の拡散手段１６のヘイズ値を６０±５に設定し、前記第２の拡散手段１７のヘイズ値を２４±５に設定するのが好ましく、これらの拡散手段１６，１７のヘイズ値をこのように設定することにより、前記モアレ縞を略完全に無くし、しかもコントラストを充分に高くすることができる。
【００４７】
すなわち、前記第１の拡散手段１６のヘイズ値を例えば８０に設定した場合は、この第１の拡散手段１６による光の拡散が大き過ぎ、前記モアレ縞が完全に無くなる反面、前記第１と第２の拡散手段１６，１７を備えない液晶表示装置に比べて、前記液晶表示素子１の表示のコントラストが１／２程度に低下する。
【００４８】
また、前記第１の拡散手段１６のヘイズ値を例えば４５に設定した場合は、前記液晶表示素子１の表示のコントラストは高いが、前記第１の拡散手段１６による光の拡散が小さ過ぎ、前記液晶表示素子１からの出射光に強いモアレ縞が生じる。
【００４９】
それに対して、前記第１の拡散手段１６のヘイズ値を６０に設定した場合は、前記第１と第２の拡散手段１６，１７を備えない液晶表示装置に比べたコントラストの低下が極く僅かであり、コントラスト値が２８０〜２９０の充分に高いコントラストが得られる。
【００５０】
そして、前記第１の拡散手段１６のヘイズ値を６０に設定し、前記第２の拡散手段１７のヘイズ値を２４に設定すると、前記モアレ縞が略完全に無くなり、しかも前記液晶表示素子１の表示のコントラストを充分に高くなる。
【００５１】
なお、前記第１の拡散手段１６のヘイズ値は６０±５の範囲、前記第２の拡散手段１７のヘイズ値は２４±５の範囲であればよく、これらの拡散手段１６，１７のヘイズ値を前記範囲に設定することにより、前記モアレ縞を略完全に無くし、しかもコントラストを充分に高くすることができる。
【００５２】
また、この液晶表示装置は、前記第２の拡散手段１７を、前記反対側偏光板１３の前記面光源１８に対向する面を粗面化した拡散面としているため、前記反対側偏光板１３の前記面光源１８に対向する面に、第２の拡散手段として別部品の拡散フィルムを配置する場合に比べて、液晶表示装置の構造を簡単にし、その製造を容易にすることができる。
【００５３】
さらに、この液晶表示装置は、前記第１の拡散手段１６を、光散乱粒子を混入した粘着剤層からなる拡散粘着剤層により形成し、前記反対側偏光板１３とそれに隣接する反対側視野補償フィルム１５とを、前記拡散粘着剤層１６を介して貼付けているため、前記反対側偏光板１３とそれに隣接する反対側視野補償フィルム１５との間に、第２の拡散手段として拡散フィルムを配置する場合のように、前記反対側偏光板１３と前記拡散フィルムと前記反対側視野補償フィルム１５とをそれぞれ貼付け必要は無く、したがって、液晶表示装置の製造をさらに容易にすることができる。
【００５４】
なお、上記実施例では、液晶表示素子１を、一対の基板２，３の内面それぞれに、互いに対向させて、液晶層１１にその層厚方向に沿った縦電界を印加して液晶分子の配向状態を制御する複数の画素領域を形成する第１と第２の電極（複数の画素電極と一枚膜状の対向電極）４，６を設けた構成としているが、前記液晶表示素子１は、前記一対の基板２，３のいずれか一方、例えば反対側基板３の内面に、互いに絶縁して、前記液晶層１１に前記基板３面に沿った横電界を印加して液晶分子の配向状態を制御する複数の画素領域を形成する第１と第２の電極（例えば、複数の櫛歯状部を有する櫛状の信号電極と、前記信号電極の各櫛歯状部との間に横電界を生成するコモン電極）を設けた横電界制御型のものでもよい。
【００５５】
また、前記液晶表示素子１は、前記面光源１８からの照明光を利用する透過表示と、観察側から入射する外光（液晶表示装置の使用環境の光）を利用する反射表示との両方の表示を行なうものでもよく、その場合は、前記反対側基板３と反対側視野補償フィルム１５との間に半透過反射板を配置するか、或いは前記反対側基板３の内面に、複数の画素の予め定めた領域に対向させて反射膜を設け、前記複数の画素の前記反射膜に対応する部分により反射表示部を形成し、前記複数の画素の前記反射膜の無い部分により透過表示部を形成すればよい。
【図面の簡単な説明】
【００５６】
【図１】この発明の一実施例を示す液晶表示装置の側面図。
【図２】前記液晶表示装置の一部分の拡大断面図。
【符号の説明】
【００５７】
１０…液晶表示装置、１…液晶表示素子、２，３…基板、４…画素電極、５…ＴＦＴ、６…対向電極、７Ｒ，７Ｇ，７Ｂ…カラーフィルタ、８，９…配向膜、１１…液晶層、１２，１３…偏光板、１４，１５…視野補償フィルム、１６…第１の拡散手段（拡散粘着剤層）、１７…第２の拡散手段（拡散面）、１８…面光源、２１…プリズムシート、２２…細長プリズム。
【図１】
2007155785.tif 000003
【図２】
2007155785.tif 000004